(57)【要約】【課題】用紙位置固定部材１つのみを移動させることによって、用紙の位置を固定することが可能な用紙トレイを提供する。【解決手段】用紙トレイ１０は、長孔１１に沿って移動することが可能な用紙位置固定部材１と、用紙位置固定部材１の一端に接続されかつ側面部１０ａに接続された板ばね２とを備えている。また、用紙トレイ１０の底面部１０ｅは、凹部１２を備えている。用紙位置固定部材１が長孔１１に沿って移動したときには、板ばね２は凹部１２に沿って撓む。その結果、用紙のサイズが変更された場合にも、板ばね２は用紙の端部に当接し、用紙の位置が固定される。【選択図】図４
2007197115.tif 000002
【特許請求の範囲】
【請求項１】
矩形の底面部と、
前記底面部の一辺から前記底面部に対して垂直に延びる側面部と、
用紙の位置を固定する用紙位置固定部材と、
前記側面部の内側面と前記用紙位置固定部材とに接続された板ばねと、
前記底面部に設けられ、前記用紙位置固定部材の位置を固定するストッパ部とを備え、
前記用紙位置固定部材は、用紙のサイズに応じて、スライドし得るように前記底面部に取付けられ、
前記底面部に凹部が設けられ、
前記板ばねに突出部が設けられ、
前記用紙が該用紙のサイズよりも小さいサイズを有する他の用紙に変更されるときには、前記板ばねが撓み、前記突出部が前記凹部内を移動し前記凹部の側面で係止されるとともに、前記ストッパ部が前記用紙位置固定部材の位置を固定し、
前記板ばねが撓むときに、前記凹部が前記板ばねをガイドするように、前記凹部の幅が、前記板ばねが撓む方向に沿って、小さくなっており、
前記ストッパ部は、前記用紙位置固定部材と前記板ばねとの接続部の近傍に設けられた、用紙トレイ。
【請求項２】
矩形の底面部と、
前記底面部の一辺から前記底面部に対して垂直に延びる側面部と、
用紙の位置を固定する用紙位置固定部材と、
前記側面部の内側面と前記用紙位置固定部材とに接続された板ばねと、
前記底面部に設けられ、前記用紙位置固定部材の位置を固定するストッパ部とを備え、
前記用紙位置固定部材は、用紙のサイズに応じて、スライドし得るように前記底面部に取付けられ、
前記底面部に凹部が設けられ、
前記板ばねに突出部が設けられ、
前記用紙が該用紙のサイズよりも小さいサイズを有する他の用紙に変更されるときには、前記板ばねが撓み、前記突出部が前記凹部内を移動し前記凹部の側面で係止されるとともに、前記ストッパ部が前記用紙位置固定部材の位置を固定する、用紙トレイ。
【請求項３】
前記板ばねが撓むときに、前記凹部が前記板ばねをガイドするように、前記凹部の幅が、前記板ばねが撓む方向に沿って、小さくなっている、請求項２に記載の用紙トレイ。
【請求項４】
前記ストッパ部は、前記用紙位置固定部材と前記板ばねとの接続部の近傍に設けられた、請求項２に記載の用紙トレイ。
【発明の詳細な説明】
【技術分野】
【０００１】
本発明は、用紙を所定の位置に収納するための用紙トレイに関するものである。
【背景技術】
【０００２】
従来から、プリンタまたはコピー機などにおいて用紙トレイが用いられている。以下、図１０〜図１２を用いて従来の用紙トレイを説明する。
【０００３】
従来の用紙トレイ１１０は、矩形の底面部１１０ｅと、底面部１１０ｅの各辺から底面部の主表面に対して垂直な方向に延びる側面部１１０ａ、前面部１１０ｂ、側面部１１０ｃ、および背面部１１０ｄとを備えている。
【０００４】
また、底面部１１０ｅには長孔１１２および１１１が設けられている。長孔１１１および１１２のそれぞれに沿って用紙位置固定部材１０１および１０２が移動する。たとえば、図１０に示すように、用紙ＰのサイズがＡ４（２１０ｍｍ×２９７ｍｍ）である場合には、用紙位置固定部材１０１および１０２は、それぞれ、最も外側の位置にある。
【０００５】
一方、図１１に示すように、用紙ＰのサイズがＢ５（１８２ｍｍ×２５７ｍｍ）に変更された場合には、用紙位置固定部材１０１と用紙Ｐの端部との間に隙間が形成される。したがって、その隙間を詰めるために、図１２に示すように、用紙位置固定部材１０１および１０２が長孔１１１および１１２のそれぞれに沿って移動させられる。その結果、用紙ＰのサイズがＡ４からＢ５へ変更されても、用紙位置固定部材１０１および１０２によって用紙Ｐはその位置が固定される。
【特許文献１】特開平５−１８６０５９号公報
【特許文献２】特開平７−２０６１６７号公報
【特許文献３】特開昭６０−８２５３６号公報
【特許文献４】特開平１０−７２６０号公報
【発明の開示】
【発明が解決しようとする課題】
【０００６】
上記従来の用紙トレイ１１０によれば、２つの用紙位置固定部材（１０１および１０２）が必要である。その結果、用紙トレイの構造が複雑になり、用紙トレイの部品点数が増加する。また、ユーザが用紙位置固定部材１０１および１０２のそれぞれを移動させる必要があるため、用紙Ｐの入換えの手間が煩雑になっていた。
【０００７】
本発明は、上述の問題に鑑みなされたものであり、その目的は、１つの用紙位置固定部材を移動させるだけで、用紙の位置を固定することができる用紙トレイを提供することである。
【課題を解決するための手段】
【０００８】
本発明の一の局面の用紙トレイは、矩形の底面部と、底面部の一辺から底面部に対して垂直に延びる側面部とを備えている。また、用紙トレイは、用紙の位置を固定する用紙位置固定部材と、側面部の内側面と用紙位置固定部材とに接続された板ばねと、底面部に設けられ、用紙位置固定部材の位置を固定するストッパ部とを備えている。また、用紙位置固定部材は、用紙のサイズに応じて、スライドし得るように底面部に取付けられている。また、底面部に凹部が設けられている。また、板ばねに突出部が設けられている。また、用紙がその用紙のサイズよりも小さいサイズを有する他の用紙に変更されるときには、板ばねが撓み、突出部が凹部内を移動し凹部の側面で係止されるとともに、ストッパ部が用紙位置固定部材の位置を固定する。また、板ばねが撓むときに、凹部が板ばねをガイドするように、凹部の幅が、板ばねが撓む方向に沿って、小さくなっている。さらに、ストッパ部は、用紙位置固定部材と板ばねとの接続部の近傍に設けられている。
【０００９】
また、本発明の他の局面の用紙トレイは、矩形の底面部と、底面部の一辺から底面部に対して垂直に延びる側面部とを備えている。また、用紙トレイは、用紙の位置を固定する用紙位置固定部材と、側面部の内側面と用紙位置固定部材とに接続された板ばねと、底面部に設けられ、用紙位置固定部材の位置を固定するストッパ部とを備えている。また、用紙位置固定部材は、用紙のサイズに応じて、スライドし得るように底面部に取付けられている。また、底面部に凹部が設けられている。板ばねに突出部が設けられている。また、用紙が用紙のサイズよりも小さいサイズを有する他の用紙に変更されるときには、板ばねが撓み、突出部が凹部内を移動し凹部の側面で係止されるとともに、ストッパ部が用紙位置固定部材の位置を固定する。これによれば、１つの用紙位置固定部材を移動させるだけで、用紙の位置を固定することができる。
【００１０】
また、板ばねが撓むときに、凹部が板ばねをガイドするように、凹部の幅が、板ばねが撓む方向に沿って、小さくなっている。これによれば、板ばねが凹部の形状に対応して撓むため、用紙の位置を板ばねによって正確に固定することができる。
【００１１】
また、ストッパ部は、用紙位置固定部材と板ばねとの接続部の近傍に設けられていることが望ましい。これによれば、板ばねの復元力によって用紙位置固定部材に位置ずれが生じることが防止される。
【発明を実施するための最良の形態】
【００１２】
以下、図面を参照しながら、本発明の実施の形態の用紙トレイを説明する。
図１に示すように、本実施の形態の用紙トレイ１０はプリンタ５０に挿入されている。なお、本発明の用紙トレイはコピー機に挿入される用紙トレイであってもよい。また、プリンタ５０の正面部には、用紙トレイ１０の正面部１０ｂが含まれている。
【００１３】
図２〜図４に示すように、本実施の形態の用紙トレイ１０は、矩形の底面部１０ｅを備えている。側面部１０ａ、正面部１０ｂ、側面部１０ｃ、および背面部１０ｄが、それぞれ、底面部１０ｅの４つの辺から底面部１０ｅに対して垂直な方向に延びている。
【００１４】
また、底面部１０ｅには、帯状の長孔１１が開けられている。長孔１１は貫通孔である。また、用紙位置固定部材１は、長孔１１に沿って、移動することが可能である。そのために、用紙位置固定部材１には、スライド部１ａが設けられている。スライド部１ａは、長孔１１に挿入されておりかつ係止されている部材である。
【００１５】
また、用紙位置固定部材１は、側面部１０ａおよび１０ｃのそれぞれに対して平行に延びるように底面部１０ｅ上に設置されている。また、底面部１０ｅには、凹部１２が設けられている。凹部１２は、平面的に見て、台形状であり、互いに平行に延びる側面１２ｂおよび１２ｄと、互いに交差するように延びる側面１２ａおよび１２ｃとを有している。
【００１６】
また、用紙位置固定部材１の一方端の近傍には、板ばね２の一方端が取付けられている。板ばね２は、ユーザが用紙位置固定部材１を移動させたときに用紙位置固定部材１の移動に伴って撓む部材である。また、板ばね２の他方端は側面部１０ａの内側面に取付けられている。また、凹部１２内には、板ばね２の下端に設けられた突出部２ａが入り込んでいる。
【００１７】
図２に示すＡ４サイズの用紙Ｐが用紙トレイ１０内に設置された状態から、図３に示すように、Ａ４サイズの用紙Ｐが用紙トレイ１０から取り出され、Ｂ５サイズの用紙Ｐが用紙トレイ１０内に設置された場合には、用紙位置固定部材１および板ばね２と用紙Ｐの端部との間に隙間ができる。したがって、ユーザは、用紙位置固定部材１を長孔１１に沿って矢印Ｒ１で示す方向に移動させ用紙Ｐの側辺に当接させる必要がある。このとき、図４に示すように、板ばね２の中央部は、矢印Ｒ２で示す方向に、凹部１２の形状に従って撓む。このとき、突出部２ａは、凹部１２内を移動して、側面１２ｂおよび１２ｃに当接する。それにより、板ばね２の中央部が、用紙Ｐの１辺に対して当接する。その結果、サイズがＢ５である用紙Ｐの位置は、用紙位置固定部材１、板ばね２の中央部、正面部１０ｂ、および側面部１０ａによって固定される。
【００１８】
次に、図５および図６に示す断面図を用いて、用紙位置固定部材１が移動するときの様子を説明する。まず、ユーザは、用紙位置固定部材１を、図５に示すように、矢印Ｒ３で示す方向に回転させる。それにより、用紙位置固定部材１の下端に設けられていた突起１ｂが持ち上げられる。その結果、突起１ｂが、底面部１０ｅに設けられた穴１０ｆから取り出される。次に、ユーザは、突起１ｂが底面部１０ｅの上表面を滑るように、図６において矢印Ｒ１で示す方向に沿って用紙位置固定部材１を移動させる。その後、ユーザは、突起１０ｂを、底面部１０ｅに設けられた孔１０ｇ内に嵌め込む。これによって、用紙位置固定部材１の位置が固定される。
【００１９】
また、図７に示すように、板ばね２が撓んだときには、突出部２ａは、側面１２ｂおよび側面１２ｃのそれぞれに密着している。このように、本実施の形態の用紙トレイによれば、凹部１２の幅が、背面部１０ｄ側から正面部１０ｂ側に向かうに従って徐々に小さくなっている。すなわち、図７において、側面１０ｂの長さＢ１は側面１０ｄの長さＢ２よりも大きい。その結果、板ばね２が撓んだ状態においても、板ばね２の動作が拘束されている。言い換えれば、板ばね２は凹部１２によってガイドされる。その結果、板ばね２の動作が安定する。
【００２０】
また、図８に示すように、用紙位置固定部材１の下部には、スライド部１ａが設けられている。スライド部１ａは、長孔１１に沿って移動する。スライド部１ａを長孔１１へ挿入するときには、図９に示すように、まず、長孔１１に沿って用紙位置固定部材１が底面部１０ｅ上に載置される。このとき、スライド部１ａが長孔１１内に嵌め込まれた後、矢印Ｒ４で示す方向に用紙位置固定部材１が回転させられる。その結果、スライド部１ａも、矢印Ｒ４で示す方向に回転する。その後、スライド部１ａは、長孔１１の係止部によって係止される。その結果、用紙位置固定部材１が底面部１０ｅから外れることがない。
【００２１】
上記本実施の形態の用紙トレイ１０によれば、１つの用紙位置固定部材１を移動させるだけで、用紙Ｐの位置を固定することができる。つまり、用紙ＰのサイズがＡ４からＢ５へ変更された場合にも、１つの用紙位置固定部材１を移動させるだけで、その用紙Ｐのサイズに対応して、用紙Ｐの位置を固定することができる。また、板ばね２が撓んでいる状態で、突起１ｂがストッパとしての穴１０ｇに嵌め込まれる。そのため、用紙位置固定部材１の位置が固定される。したがって、板ばね２が復元力によって伸びようとしたときに、用紙位置固定部材１が側面部１０ｃ側に押し戻されることが防止される。したがって、用紙位置固定部材１の位置ずれが生じることがない。
【００２２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００２３】
【図１】実施の形態の用紙トレイが挿入されるプリンタの斜視図である。
【図２】実施の形態の用紙トレイの第１の上面図である。
【図３】実施の形態の用紙トレイの第２の上面図である。
【図４】実施の形態の用紙トレイの第３の上面図である。
【図５】図３のＶ−Ｖ線断面図である。
【図６】図４のＶＩ−ＶＩ線断面図である。
【図７】板ばねが撓んだときの突出部の状態を説明するための図である。
【図８】図４のＶＩＩＩ−ＶＩＩＩ線断面図である。
【図９】用紙位置固定部材を長孔に挿入する方法を説明するための図である。
【図１０】従来の用紙トレイの第１の上面図である。
【図１１】従来の用紙トレイの第２の上面図である。
【図１２】従来の用紙トレイの第３の上面図である。
【符号の説明】
【００２４】
１  用紙位置固定部材、１ａ  スライド部、１ｂ  突起、２  板ばね、１０  用紙トレイ、１０ａ  側面部、１０ｂ  正面部、１０ｃ  側面部、１０ｄ  背面部、１０ｆ，１０ｇ  穴、１１  長孔、２  板ばね、２ａ  突出部、１２  凹部、１２ａ，１２ｂ，１２ｃ，１２ｄ  側面、Ｐ  用紙。
【図１】
2007197115.tif 000003
【図２】
2007197115.tif 000004
【図３】
2007197115.tif 000005
【図４】
2007197115.tif 000006
【図５】
2007197115.tif 000007
【図６】
2007197115.tif 000008
【図７】
2007197115.tif 000009
【図８】
2007197115.tif 000010
【図９】
2007197115.tif 000011
【図１０】
2007197115.tif 000012
【図１１】
2007197115.tif 000013
【図１２】
2007197115.tif 000014